(57)【要約】【課題】機能部品の寸法精度を過剰に高くすることなく、鍵盤部に対する機能部品の左右方向の相対的な位置精度を確保する。【解決手段】基準部材５０は、鉤部５７、６７の各根本部５７ａ、６７ａに下側垂直リブ２６の後端が突き当たると共に、取付片５５、６５と上ケース４０の背面カバー４２との当接によって、鍵フレーム１０、上ケース４０に対する前後方向の位置が規定される。位置決め片５８の右側面５８ａと上側垂直リブ２５との当接、及び下側延設部５３の右側面５３ａと下側垂直リブ２６との当接によって、鍵フレーム１０に対する左右方向の位置が規定される。右側面５０ａａと上ケース４０の位置決め片４８との当接によって、上ケース４０に対する左右方向の位置が規定される。これらにより、基準部材５０を基準として、鍵フレーム１０と上ケース４０との前後及び左右方向が位置決めされる。【選択図】図１
2010262018.tif 000002
【特許請求の範囲】
【請求項１】
鍵盤部が配設される鍵フレームと、
電子鍵盤楽器としての機能を果たす機能部品と、
前記鍵フレームが固定されると共に、前記機能部品が取り付けされる基準部材とを有し、
前記基準部材には、前記鍵フレームとの左右方向の相対的な位置を位置決めする第１左右位置決め部が設けられたことを特徴とする電子鍵盤楽器。
【請求項２】
前記基準部材にはさらに、前記機能部品との左右方向の相対的な位置を位置決めする第２左右位置決め部が設けられたことを特徴とする請求項１記載の電子鍵盤楽器。
【請求項３】
前記基準部材にはさらに、前記鍵フレームとの前後方向の相対的な位置を位置決めする第１前後位置決め部と、前記機能部品との前後方向の相対的な位置を位置決めする第２前後位置決め部とが設けられたことを特徴とする請求項２記載の電子鍵盤楽器。
【請求項４】
少なくとも底板を有する第１筐体部と少なくともパネル部を有する第２筐体部とで当該電子鍵盤楽器の筐体が構成され、前記機能部品には前記第２筐体部が含まれ、前記基準部材における前記第２左右位置決め部は、前記第２筐体部に対して、当該電子鍵盤楽器の左右方向における中間位置で当接することを特徴とする請求項２または３記載の電子鍵盤楽器。
【請求項５】
前記第１筐体部の前記底板の上面の面一部分に、前記鍵フレームと前記基準部材とが固定されることによって、前記鍵フレームと前記基準部材との上下方向の相対的な位置が規定されていることを特徴とする請求項４記載の電子鍵盤楽器。
【請求項６】
前記第１左右位置決め部及び前記第２左右位置決め部は、前記基準部材における面一な平坦面に設けられることを特徴とする請求項２〜５のいずれか１項に記載の電子鍵盤楽器。
【請求項７】
前記鍵盤部は、複数の鍵ユニットの共通基端部同士が上下方向に積層されてなる構成であり、前記機能部品には、前記積層された共通基端部を上方から押圧する基端部押圧部が配設される押圧部配設部が含まれることを特徴とする請求項１〜６のいずれか１項に記載の電子鍵盤楽器。
【請求項８】
前記鍵盤部の鍵本体部より後方に、演奏ガイドにおける押鍵すべき鍵を指示するための押鍵表示部が各鍵に対応して設けられ、前記機能部品には、前記押鍵表示部が配設される表示部配設部が含まれることを特徴とする請求項１〜７のいずれか１項に記載の電子鍵盤楽器。
【請求項９】
第１筐体部と第２筐体部とで当該電子鍵盤楽器の筐体が構成され、前記機能部品には前記第２筐体部が含まれ、前記第２筐体部として、形状が異なるものが複数種類設けられ、それらのうち選択した１つを前記基準部材に取り付けられるように構成されたことを特徴とする請求項１〜３のいずれか１項に記載の電子鍵盤楽器。
【請求項１０】
支持部材を有する第１筐体部と前記鍵盤部の後部上方を覆う第２筐体部とで当該電子鍵盤楽器の筐体が構成され、前記機能部品には前記第２筐体部が含まれ、前記第１筐体部の前記支持部材に前記鍵フレームと前記基準部材とが共通に支持固定されることを特徴とする請求項１〜３のいずれか１項に記載の電子鍵盤楽器。
【発明の詳細な説明】
【技術分野】
【０００１】
本発明は、鍵フレームに鍵盤部が配設される電子鍵盤楽器に関する。
【背景技術】
【０００２】
従来、電子鍵盤楽器においては、電子鍵盤楽器としての機能を果たす機能部品が各種配設される。機能部品には例えば、筐体を構成する底板やパネル等の、筐体の一部となる部品をはじめ、押鍵表示部、鍵基端部押圧部、鍵盤押さえ等がある。
【０００３】
例えば、下記特許文献１の楽器では、機能部品として、底板を有する筐体本体部とパネル部を有する筐体後部とが設けられ、これらが筐体を構成する。筐体本体部、筐体後部のそれぞれ左右両端部には、スライド固着用突起部、スライド部が形成される。これらスライド固着用突起部、スライド部を互いに係合させることで、筐体本体部と筐体後部とが固定され、筐体が構成される。
【先行技術文献】
【特許文献】
【０００４】
【特許文献１】特許４１６２０３１号公報
【発明の概要】
【発明が解決しようとする課題】
【０００５】
しかしながら、上記特許文献１の楽器では、筐体本体部、筐体後部は、いずれも左右方向に長尺であるので、左右端部の双方で適切に係合させるためには、両者の寸法精度を高くする必要があり、精度が低いと、部品としての歩留まりが悪くなる。
【０００６】
また、一般に、鍵盤部は、底板を有する側の筐体部（前側乃至下側筐体部であり、以下「第１筐体部」と称する）に配設される。例えば、底板上に鍵フレームが固定され、該鍵フレームに鍵盤部が配設固定されるのが通常である。
【０００７】
しかし、上記特許文献１のように、パネルを有する側の筐体部（後側乃至上側筐体部であり、以下「第２筐体部」と称する）が、第１筐体部に対して固定されて位置が規制される構成である場合は、鍵盤部と第２筐体部との間に長尺の第１筐体部が介在して第１筐体部の寸法誤差が影響を与えてしまう。そのため、鍵盤部と第２筐体部との特に左右方向の相対的位置精度を高める上で、やはり筐体部の寸法精度を高くする必要がある。
【０００８】
さらに、その他の機能部品についても、押鍵表示部等のようにパネルに対して固定されるものがあり、そのような機能部品は、鍵盤部と当該機能部品との位置規制に第１筐体部の寸法精度が影響することになる。
【０００９】
つまり、鍵盤部と機能部品との間に介在する介在部品が多くなるほど、それら介在部品の寸法誤差が蓄積されて、鍵盤部と機能部品との相対的位置の精度が悪くなるという問題がある。
【００１０】
本発明は上記従来技術の問題を解決するためになされたものであり、その目的は、機能部品の寸法精度を過剰に高くすることなく、鍵盤部に対する機能部品の左右方向の相対的な位置精度を確保することができる電子鍵盤楽器を提供することにある。
【課題を解決するための手段】
【００１１】
上記目的を達成するために本発明の請求項１の電子鍵盤楽器は、鍵盤部（ＫＢ）が配設される鍵フレーム（１０）と、電子鍵盤楽器としての機能を果たす機能部品（４０、１４０、８５）と、前記鍵フレームが固定されると共に、前記機能部品が取り付けされる基準部材（５０）とを有し、前記基準部材には、前記鍵フレームとの左右方向の相対的な位置を位置決めする第１左右位置決め部（５３ａ、５８ａ）が設けられたことを特徴とする。
【００１２】
好ましくは、前記基準部材にはさらに、前記機能部品との左右方向の相対的な位置を位置決めする第２左右位置決め部（５０ａａ）が設けられる（請求項２）。
【００１３】
好ましくは、前記基準部材にはさらに、前記鍵フレームとの前後方向の相対的な位置を位置決めする第１前後位置決め部（５７ａ、６７ａ）と、前記機能部品との前後方向の相対的な位置を位置決めする第２前後位置決め部（５５ｂ、６５ｂ、７４、７５、７１ｂ、７３ｂ）とが設けられる（請求項３）。
【００１４】
好ましくは、少なくとも底板（３１）を有する第１筐体部（３０）と少なくともパネル部（４１）を有する第２筐体部（４０）とで当該電子鍵盤楽器の筐体が構成され、前記機能部品には前記第２筐体部が含まれ、前記基準部材における前記第２左右位置決め部は、前記第２筐体部に対して、当該電子鍵盤楽器の左右方向における中間位置で当接する（請求項４）。
【００１５】
好ましくは、前記第１筐体部の前記底板の上面（３１ａ）の面一部分に、前記鍵フレームと前記基準部材とが固定されることによって、前記鍵フレームと前記基準部材との上下方向の相対的な位置が規定されている（請求項５）。
【００１６】
好ましくは、前記第１左右位置決め部及び前記第２左右位置決め部は、前記基準部材における面一な平坦面（５０ａａ）に設けられる（請求項６）。
【００１７】
好ましくは、前記鍵盤部は、複数の鍵ユニットの共通基端部（１３、１４、１５）同士が上下方向に積層されてなる構成であり、前記機能部品には、前記積層された共通基端部を上方から押圧する基端部押圧部（８７）が配設される押圧部配設部（８５）が含まれる（請求項７）。
【００１８】
好ましくは、前記鍵盤部の鍵本体部より後方に、演奏ガイドにおける押鍵すべき鍵を指示するための押鍵表示部（８８）が各鍵に対応して設けられ、前記機能部品には、前記押鍵表示部が配設される表示部配設部（８５）が含まれる（請求項８）。
【００１９】
好ましくは、第１筐体部（３０）と第２筐体部（１４０−１、１４０−２）とで当該電子鍵盤楽器の筐体が構成され、前記機能部品には前記第２筐体部が含まれ、前記第２筐体部として、形状が異なるものが複数種類設けられ、それらのうち選択した１つを前記基準部材に取り付けられるように構成される（請求項９）。
【００２０】
好ましくは、支持部材（３１）を有する第１筐体部（３０）と前記鍵盤部の後部上方を覆う第２筐体部（４０）とで当該電子鍵盤楽器の筐体が構成され、前記機能部品には前記第２筐体部が含まれ、前記第１筐体部の前記支持部材に前記鍵フレームと前記基準部材とが共通に支持固定される（請求項１０）。
【００２１】
なお、上記括弧内の符号は例示である。
【発明の効果】
【００２２】
本発明の請求項１によれば、機能部品の寸法精度を過剰に高くすることなく、鍵盤部に対する機能部品の左右方向の相対的な位置精度を確保することができる。
【００２３】
請求項２によれば、鍵盤部に対する機能部品の左右方向の相対的な位置精度を確保することができる。
【００２４】
請求項３によれば、機能部品の寸法精度を過剰に高くすることなく、鍵盤部に対する機能部品の前後方向の相対的な位置精度を確保することができる。
【００２５】
請求項４によれば、パネル側の筐体部につき、左右方向において必要とされる寸法精度を大きく緩和することができる。
【００２６】
請求項５によれば、パネル側の筐体部につき、鍵盤部に対する上下方向の相対的な位置精度を確保することができる。
【００２７】
請求項６によれば、鍵フレームと機能部品との左右方向における相対的な位置精度を高めることができる。
【００２８】
請求項７によれば、複数の鍵ユニットの共通基端部と基端部押圧部との前後及び左右方向の相対的な位置精度を確保することができる。
【００２９】
請求項８によれば、各鍵と対応する押鍵表示部との前後及び左右方向の相対的な位置精度を確保することができる。
【００３０】
請求項９によれば、筐体形状の異なる異機種間で底板側の筐体部と基準部材とを共通化することができる。
【００３１】
請求項１０によれば、鍵盤部の後部上方を覆うパネル等の機能部品の鍵盤部に対する左右方向の相対的な位置精度を確保することができる。
【図面の簡単な説明】
【００３２】
【図１】本発明の第１の実施の形態に係る電子鍵盤楽器の概略の縦断面図である。
【図２】基準部材を斜め後方上方からみた斜視図である。
【図３】本発明の第２の実施の形態に係る電子鍵盤楽器の後半部の概略の縦断面図（図（ａ））、形状が異なる上ケースを採用した例を示す電子鍵盤楽器の後半部の縦断面図（図（ｂ））である。
【図４】変形例の電子鍵盤楽器の後部上部の概略の縦断面図である。
【図５】第１の実施の形態において基準部材の異なる使用例を示す基準部材の斜視図（図（ａ））、電子鍵盤楽器の後半部の縦断面図（図（ｂ））である。
【発明を実施するための形態】
【００３３】
以下、本発明の実施の形態を図面を参照して説明する。
【００３４】
（第１の実施の形態）
図１は、本発明の第１の実施の形態に係る電子鍵盤楽器の概略の縦断面図である。以降、本電子鍵盤楽器の奏者側（鍵１１（黒鍵１１Ｂ、白鍵１１Ｗ）の先端方向）を「前方」と呼称し、左右方向については、奏者からみた方向で呼称する。
【００３５】
本電子鍵盤楽器の筐体は、下ケース３０、上ケース４０及び側板１９で構成される。本実施の形態では、電子鍵盤楽器としての機能を果たす「機能部品」として、上ケース４０を例示する。
【００３６】
下ケース３０は、底板３１と口棒部３２とでなり、底板３１の前部に金具３３を介して口棒部３２が螺着固定されている。底板３１は、例えば４本の円柱型の脚部２７で支持される。底板３１の上面３１ａに樹脂製等の鍵フレーム１０が配設固定され、鍵フレーム１０に、鍵盤部ＫＢ及び複数のハンマ体２０が配設される。
【００３７】
鍵盤部ＫＢは、例えばオクターブ毎に構成され、合成樹脂で各々一体成形された黒鍵ユニットＢＵ、及び、互いに隣接しない白鍵同士の組み合わせとなるように２分割された白鍵ユニットＷＵから成る。黒鍵ユニットＢＵは共通基端部１３を有し、２つの白鍵ユニットＷＵはそれぞれ共通基端部１４、１５を有する。共通基端部１３、１４、１５が互いに上下方向に積層されて３層構造となっている。積層された共通基端部１３、１４、１５は、上方からネジ２９によって鍵フレーム１０に固定されている。
【００３８】
黒鍵ユニットＢＵは、複数の黒鍵１１Ｂを有し、白鍵ユニットＷＵは、複数の白鍵１１Ｗを有する。黒鍵１１Ｂは、その鍵本体部が水平ヒンジ部１８を介して共通基端部１３に接続されている。白鍵１１Ｗは、その鍵本体部が水平ヒンジ部１７及び垂直ヒンジ部１６を介して共通基端部１４、１５に接続されている。黒鍵１１Ｂ、白鍵１１Ｗは、各々、水平ヒンジ部１８、１７を介して押鍵方向（上下方向）に揺動自在にされる。
【００３９】
鍵１１は左右方向に複数配列され、各鍵１１の下方には、各鍵１１に対応するハンマ体２０が配設される。鍵フレーム１０には、支点機構部２８が設けられ、支点機構部２８におけるハンマ支点Ｐ１を中心に、各ハンマ体２０が図１の時計及び半時計方向に揺動自在になっている。ハンマ体２０の前端部には、主被駆動部２１及び副被駆動部２２が設けられている。
【００４０】
各鍵１１には、ハンマ駆動部１２（１２Ｗ、１２Ｂ）が垂下して設けられる。ハンマ体２０の主被駆動部２１及び副被駆動部２２は、対応する鍵１１のハンマ駆動部１２と常に係合状態にあり、対応する鍵１１に連動してハンマ体２０が揺動するようになっている。奏者による押鍵操作に応じて、鍵１１のハンマ駆動部１２により主被駆動部２１が駆動され、ハンマ体２０が同図反時計方向（押鍵方向に対応する方向）に回動することで、適正な押鍵感触が与えられる。
【００４１】
ハンマ体２０は、後端部に集中した自身の質量によって、同図時計方向（離鍵方向に対応する方向）に常に付勢されており、初期状態である非押鍵状態では、図１に示す位置に位置する。鍵１１の押鍵状態から離鍵されると、ハンマ駆動部１２により副被駆動部２２が駆動され、鍵１１が非押鍵位置に復帰する。
【００４２】
鍵フレーム１０の前後方向中央部には、スイッチ基板９４が取り付けられ、スイッチ基板９４には、各鍵１１に対応して鍵スイッチ９５が配設されている。各鍵スイッチ９５は、対応する鍵１１の鍵本体部の下面によって押圧され、当該鍵１１の押鍵操作を検出する。
【００４３】
ところで、底板３１の上面３１ａは面一であり、鍵フレーム１０は、底板３１の上面３１ａに対して不図示の位置決め部を基準として前後及び左右方向の位置が規定されると共に、上面３１ａによって上下方向の位置が規定されて、不図示のネジで上面３１ａに固定されている。
【００４４】
底板３１の上面３１ａにはまた、基準部材５０が配設される。本実施の形態では、基準部材５０は、上ケース４０が位置決めされつつ固定され、鍵フレーム１０と上ケース４０との相対的な位置関係を規定するものであり、その詳細については後述する。側板１９は、本楽器の左右両側部に配設される。
【００４５】
上ケース４０は、いずれも樹脂等でなるパネル部４１及び背面カバー４２で構成される。背面カバー４２の上端部にパネル部４１の後部が連結固定されている。上ケース４０は、本楽器の後半部を上方及び後方から覆うように配設される。特に、パネル部４１は、鍵盤部ＫＢの後部から後方にかけて上方を覆う後方上面部となっている。
【００４６】
パネル部４１の下面には、複数の取付部４４を介してパネル基板４５が取り付けられる。パネル基板４５には、操作スイッチ４６が配設され、操作スイッチ４６は、パネル部４１を貫通して上方に露出している。パネル基板４５には、操作スイッチ４６の他に、各種操作態様のスイッチや表示部が配設されていてもよい。パネル基板４５の下面にはまた、基準部材５０に取り付けられるための複数（例えば４つ）のボス４３が突設される。
【００４７】
上ケース４０の背面カバー４２の前面には、楽音発生用の回路基板３５が配設される。回路基板３５には、楽音信号生成部（音源）、ＣＰＵ、アンプ、外部接続端子等が設けられる。上記鍵スイッチ９５によって検出された鍵操作に基づいて、回路基板３５によって楽音制御がなされる。あるいは、記憶された、または外部から供給される演奏データに基づいて楽音制御がなされる。
【００４８】
背面カバー４２の下部は、前方に屈曲した延設部４９となっている。上ケース４０が基準部材５０に固定された状態では、延設部４９が底板３１の下面に当接する。背面カバー４２の上下方向中間位置には、前方に突出して位置決め片４８が一体に形成されている。位置決め片４８は、下駄の歯のような左右２枚の片が対となっていて、板状部５０ａの鉛直板部５１を挟持する。位置決め片４８（の特に右側の片の左端面）は、基準部材５０に対する背面カバー４２の左右方向における位置を規制する役割を果たす。
【００４９】
上ケース４０及び下ケース３０は、本楽器の左右方向全長に亘る長さに構成される。上ケース４０のパネル部４１及び背面カバー４２と、下ケース３０の底板３１及び口棒部３２とに、左右の側板１９が不図示のネジで固定される。ただし、下ケース３０に対する上ケース４０の前後及び左右方向における位置は、基準部材５０で規制されるものである。側板１９が固定される上ケース４０の箇所には、例えば、前後方向に長い長穴が設けられる。そして、該長穴を介して、パネル部４１及び背面カバー４２が、不図示のネジで側板１９のネジ穴にそれぞれ螺合固定されている。
【００５０】
図２は、基準部材５０を斜め後方上方からみた斜視図である。基準部材５０は、金属等の剛性の高い素材で一体に形成される。本実施の形態では、基準部材５０は、本楽器の左右方向におけるほぼ中央位置に１つ設けられる。基準部材５０は、概略の形状としては、並列配置された２枚の板状部５０ａ、６０ａを２つのブリッジ７０、７２で一体に連結した形状を呈している。板状部５０ａ、６０ａの板状の部分は前後及び上下方向に平行で、板状部５０ａが右側となるように底板３１に配設される。
【００５１】
図１、図２に示すように、板状部５０ａは、側面視コ字状に形成され、鉛直板部５１と上側延設部５２と下側延設部５３とでなる。上側延設部５２の上縁には、右方に屈曲形成された取付片５６が一体に２つ設けられ、各取付片５６には取付穴５６ａが形成される。上側延設部５２の前後方向におけるほぼ中間位置には、下方に垂下した位置決め片５８が一体に形成される。位置決め片５８の右側面５８ａであって根本からは、鉤部５９が下方に向かってプレス加工等によって一体に突設形成されている。
【００５２】
鉛直板部５１の後縁には、右方に屈曲形成された取付片５５が一体に２つ設けられ、各取付片５５にはネジ穴５５ａが形成される。取付片５５の後面５５ｂは上下及び左右方向に平行である。あるいは、背面カバー４２が斜めに形成される場合は、後面５５ｂも、背面カバー４２と平行に斜めに形成してもよい。下側延設部５３の右側面５３ａからは、鉤部５７が前方に向かってプレス加工等によって一体に突設形成されている。下側延設部５３の下部には、右方に屈曲形成された固定用片５４が一体に形成される。固定用片５４には、固定用ネジ穴５４ａが２つ形成される。
【００５３】
これら、固定用片５４、取付片５５、５６、位置決め片５８等は、例えば、プレス切断及びプレス加工により折曲形成される。基準部材５０が樹脂で構成される場合は、各部は金型によって一体に成形される。
【００５４】
ここで、板状部５０ａの右側面５０ａａは平坦面であり、位置決め片５８の右側面５８ａ、下側延設部５３の右側面５３ａは、いずれも右側面５０ａａと連続した面一で実質的に同じ平坦面である。
【００５５】
板状部６０ａの基本的構成は板状部５０ａと同様である。板状部６０ａは、側面視コ字状に形成され、鉛直板部６１と上側延設部６２と下側延設部６３とでなる。板状部６０ａにおける、取付片６６、取付穴６６ａ、位置決め片６８、鉤部６９、取付片６５、ネジ穴６５ａ、後面６５ｂ、鉤部６７、固定用片６４が、板状部５０ａにおける取付片５６、取付穴５６ａ、位置決め片５８、鉤部５９、取付片５５、ネジ穴５５ａ、後面５５ｂ、鉤部５７、固定用片５４に相当する。ただし、取付片５６、固定用片６４の各屈曲方向は左方である。
【００５６】
後に説明するように、鍵フレーム１０及び上ケース４０の基準部材５０に対する左右方向の位置決めについては、板状部５０ａの右側面５０ａａ（位置決め片５８の右側面５８ａ、下側延設部５３の右側面５３ａを含む）のみが実質的にその役割を果たし、板状部６０ａの右側面６０ａａは位置決めに寄与しない。
【００５７】
図２に示すように、板状部５０ａ、６０ａの間隔は問わないが、例えば、１オクターブに相当する間隔である。また、板状部６０ａは２枚以上並列に設けてもよい。ブリッジ７０、７２は、２つの取付片５５、６５の上方位置で板状部５０ａと板状部６０ａとを連結している。ブリッジ７０、７２の上方には、腕部７１、７３がブリッジ７０、７２と平行に延設されている。腕部７１、７３は、板状部５０ａと板状部６０ａの双方から互いに対向する方向に延設され、片持ち状態で左右方向中間位置まで延びている。腕部７１、７３は、本実施の形態では使用せず、使用態様の一例については後述する変形例（図５）で説明する。腕部７１、７３は、回路基板や配線止め用の固定具の取り付け部として利用することも可能である。
【００５８】
図１に示すように、固定用片５４が底板３１の上面３１ａに当接した状態で、下方からネジ３４が底板３１を貫通して固定用ネジ穴５４ａに螺合されている。固定用片６４についても同様で、不図示の固定用ネジ穴を用いて螺着固定されている。これらにより、基準部材５０が底板３１に固定される。
【００５９】
ところで、図１に示すように、鍵フレーム１０の後部上部には、共通基端部１３、１４、１５のすぐ後方に位置する垂直壁２４と、垂直壁２４の下部から後方に延設された水平壁２３が形成される。水平壁２３の下面には、ハンマストッパ（図示せず）が取り付けられる。垂直壁２４と水平壁２３とに連接して上側垂直リブ２５が一体に形成されている。また、鍵フレーム１０の後部下部には、下側垂直リブ２６が一体に形成されている。
【００６０】
上側垂直リブ２５、下側垂直リブ２６は、いずれも上下及び前後方向に平行で、基準部材５０に対する鍵フレーム１０の前後及び左右方向の位置決め機能を果たす。これらリブ２５、２６は、いずれも鍵並び方向に多数設けられるが、左右方向の位置決め機能を果たすものは各１つであって、その他のものは基準部材５０に対して当接しないか、または、位置決めの支障とならないような位置に設けられる。以下、上側垂直リブ２５、下側垂直リブ２６につき、特に区別しないときは、これら位置決め用の上側垂直リブ２５、下側垂直リブ２６のことを指すものとする。位置決め用の上側垂直リブ２５、下側垂直リブ２６は、本楽器の左右方向における中央位置に形成される。中央位置は厳格なものではなく、左右方向の位置決めによって、基準部材５０の板状部５０ａの右側面５０ａａが設計上、極力中央位置にくるように、上側垂直リブ２５、下側垂直リブ２６の形成位置が設定されるのが最良である。
【００６１】
本実施の形態では、板状部５０ａの右側面５０ａａ（位置決め片５８の右側面５８ａ、下側延設部５３の右側面５３ａを含む）に、上側垂直リブ２５、下側垂直リブ２６及び背面カバー４２の位置決め片４８が当接し、それによって、基準部材５０を基準として、鍵フレーム１０と上ケース４０との左右方向における相対的な位置が規定されるようになっている。
【００６２】
具体的には、まず、位置決め片５８の右側面５８ａと上側垂直リブ２５との当接、及び下側延設部５３の右側面５３ａと下側垂直リブ２６との当接によって、鍵フレーム１０と基準部材５０との左右方向における相対的な位置が規定される。また、板状部５０ａの右側面５０ａａ（特に鉛直板部５１の右側面５０）と上ケース４０の位置決め片４８との当接によって、上ケース４０と基準部材５０との左右方向における相対的な位置が規定される。
【００６３】
前後方向の位置決めは次のように規制される。まず、鉤部５７、鉤部６７の各根本部５７ａ、６７ａ（図２参照）に、それぞれ位置が対応している下側垂直リブ２６の後端が突き当たることで、鍵フレーム１０と基準部材５０との前後方向における相対的な位置が規定される。ここで、下側垂直リブ２６については、板状部５０ａに対応するもののみを設けると共に、根本部６７ａについては前後方向の位置決めに関与しないように構成してもよい。
【００６４】
また、取付片５５、６５の各後面５５ｂ、６５ｂと上ケース４０の背面カバー４２の前面との当接によって、基準部材５０に対する上ケース４０の前後方向における相対的な位置が規定される。
【００６５】
ここで、基準部材５０において、鉤部５７、５９と右側面５０ａａ（右側面５３ａ、右側面５８ａ）との間隔は、鉤部６７、６９と右側面６０ａａとの間隔よりも狭くなっている。そのため、板状部５０ａに位置が対応している位置決め用の上側垂直リブ２５、下側垂直リブ２６については、それぞれ、鉤部５９と位置決め片５８の右側面５８ａとの間、鉤部５７と下側延設部５３の右側面５３ａとの間に挟持される形となる。
【００６６】
しかし、板状部６０ａに位置が対応している位置決め用でない上側垂直リブ２５、下側垂直リブ２６については、鉤部６９と位置決め片６８との間、鉤部６７と下側延設部６３との間に遊嵌される形となる。なお、各鉤部５９、６９、５７、６７は、先端に向けて広がるようなテーパが設けられていて、リブ２５、２６の挿入が容易になっている。左右方向の位置決めをすることに限れば、各鉤部を設けることは必須でなく、板状部５０ａの右側面５０ａａに当接する部分があればよい。さらには、板状部６０ａ自体も必須でない。
【００６７】
基準部材５０及び上ケース４０の組み付けは、次のようになされる。まず、下ケース３０の底板３１に鍵フレーム１０を配設固定し、鍵フレーム１０に鍵盤部ＫＢ及びハンマ体２０を配設する。一方、パネル部４１及び背面カバー４２を接着、螺着または嵌合等で固定して上ケース４０を作製する。そして、背面カバー４２の位置決め片４８を基準部材５０の板状部５０ａの右側面５０ａａに当接させた状態で、基準部材５０の取付片５６、６６の取付穴５６ａ、６６ａ（図２参照）を介して、パネル部４１のボス４３（図１参照）にネジ４７を螺合する。これにより、基準部材５０に上ケース４０が前後及び左右方向において位置決めされた状態で固定される。
【００６８】
次に、基準部材５０と上ケース４０とが一体となったものを、鍵フレーム１０が固定された下ケース３０に対して後方から配設する。その際、鉤部５９、６９と板状部５０ａ、６０ａの位置決め片５８、６８との間に上側垂直リブ２５が挿入されると共に、鉤部５７、６７と板状部５０ａ、６０ａの下側延設部５３、６３との間に下側垂直リブ２６が挿入されるように基準部材５０を移動させる。
【００６９】
そして、鉤部５７、鉤部６７の各根本部５７ａ、６７ａにそれぞれ位置が対応している下側垂直リブ２６の後端が突き当たるまで基準部材５０を前方に移動させる。その際、固定用片５４、６４を底板３１の上面３１ａに当接させると共に、延設部４９を底板３１の下面に当接させる。すなわち、固定用片５４、６４と延設部４９とで、底板３１を挟み込むような形で後方から係合させる。その状態で、下方からネジ３４で底板３１に固定用片５４、６４を固定する。
【００７０】
その後、左右の側板１９を上ケース４０及び下ケース３０に対して固定する。なお、上ケース４０と下ケース３０の底板３１とは、基準部材５０による前後及び左右方向の位置決めに支障がないような形で互いに固定されるように構成してもよい。
【００７１】
本実施の形態によれば、基準部材５０の鉤部５７、鉤部６７の各根本部５７ａ、６７ａが、鍵フレーム１０に対する基準部材５０の前後方向の相対的な位置を位置決めする「第１前後位置決め部」となり、基準部材５０の右側面５３ａ、右側面５８ａが、鍵フレーム１０に対する基準部材５０の左右方向の相対的な位置を位置決めする「第１左右位置決め部」となる。また、基準部材５０の取付片５５、６５の後面５５ｂ、６５ｂが、機能部品である上ケース４０に対する基準部材５０の前後方向の相対的な位置を位置決めする「第２前後位置決め部」となり、板状部５０ａの右側面５０ａａが、上ケース４０に対する基準部材５０の左右方向の相対的な位置を位置決めする「第２左右位置決め部」となる。
【００７２】
これらの位置決め部によって、基準部材５０を基準として、鍵フレーム１０と上ケース４０との前後及び左右方向の位置決めが正確になされる。よって、上ケース４０の寸法精度を過剰に高くすることなく、鍵盤部ＫＢに対する上ケース４０の前後及び左右方向の相対的な位置精度を確保することができる。
【００７３】
特に、板状部５０ａの右側面５０ａａは、上ケース４０に対して、本電子鍵盤楽器の左右方向における中間位置で当接するので、上ケース４０につき、左右方向の長さに製造誤差があっても、左右端部において生じる位置ずれが小さくなる。よって、上ケース４０の左右方向において必要とされる寸法精度を大きく緩和することができる。
【００７４】
しかも、基準部材５０の右側面５３ａ、右側面５８ａと、基準部材５０の板状部５０ａの右側面５０ａａとは、連続した面一な同じ平坦面であるので、鍵フレーム１０と上ケース４０との左右方向における相対的な位置精度を高めることができる。
【００７５】
さらに、底板３１の面一な上面３１ａに、鍵フレーム１０と基準部材５０とが固定されることによって、両者の上下方向の相対的な位置が規定されるので、基準部材５０に固定される上ケース４０につき、鍵フレーム１０に固定される鍵盤部ＫＢに対する上下方向の相対的な位置精度も確保することができる。
【００７６】
（第２の実施の形態）
図３（ａ）は、本発明の第２の実施の形態に係る電子鍵盤楽器の後半部の概略の縦断面図である。本実施の形態では、上ケース４０に代えて上ケース１４０（本例では特に上ケース１４０−１と記す）が採用される。それに対応して、基準部材５０において、上ケース４０に対する前後、左右方向の相対的な位置をそれぞれ位置決めする「第２前後位置決め部」、「第２左右位置決め部」の構成が異なる。「第１前後位置決め部」、「第１左右位置決め部」の構成については変わりない。
【００７７】
基準部材５０については、腕部７１、７３を省略した点、位置決め突起７４、７５を設けた点、及び、板状部５０ａは１枚であるが板状部６０ａは複数枚設けられる点が、第１の実施の形態のものと異なる。板状部５０ａは、本楽器の左右方向中間位置に配置され、板状部６０ａは、図示はしないが、板状部５０ａの左右両側に、楽器の全幅に亘ってほぼ均等間隔に（例えば、１オクターブ毎に）配置される。また、上側延設部５２、６２には、取付片５６、６６が３箇所に設けられる（上側延設部６２、取付片６６は図３（ａ）では図示せず：図２参照）。ブリッジ７０、７２は、すべての板状部５０ａ、６０ａを連結している。その他の構成は同様である。
【００７８】
まず、基準部材５０の板状部５０ａの右側面５０ａａであって、特に上側延設部５２の右側面に、位置決め突起７４、７５が一体に突設形成されている。位置決め突起７４、７５は板状部６０ａには設けられない。
【００７９】
一方、上ケース１４０−１については、パネル部と背面カバーとが一体となった形で構成され、後部下部には、二股状の係合部８１が形成される。上ケース１４０−１のパネル部に相当する部分の下面には、位置決め片４８（図１参照）に相当する位置決め片８２が突設形成されている。位置決め片８２は、本楽器の左右方向中間位置に１つだけ設けられる。位置決め片８２の構造は、下駄の歯のような左右２枚の片が対となっている点で位置決め片４８（図１参照）と同様である。
【００８０】
下ケース３０の底板３１の後端部には、被係合部８３が立設される。被係合部８３には、外部スピーカ接続用端子やＵＳＢ端子等の端子部９６が設けられる。係合部８１と被係合部８３とが嵌合状態で係合すると共に、上ケース１４０−１のパネル部の下面に基準部材５０の取付片５６、６６がネジ４７で螺着固定されることで、上ケース１４０−１が基準部材５０及び下ケース３０に対して固定される。被係合部８３は、上ケース１４０−１と共に、筐体のうち背板部としての役割も果たす。
【００８１】
また、基準部材５０の上側延設部５２、６２の前部下部には、押鍵表示機構８６が配設された表示部配設部８５が固着される。表示部配設部８５は、ほぼ本楽器の全幅に亘る長さに板状に形成され、すべての板状部５０ａ、６０ａに亘って固着される。押鍵表示機構８６には、ＬＥＤ等でなる複数の押鍵表示部８８が、各鍵１１に対応して配設される。
【００８２】
上ケース１４０−１のパネル部のうち、押鍵表示部８８に対応する部分は半透明となっている。押鍵表示部８８は、その上部が、上ケース１４０−１のパネル部の上記半透明の部分を介して視認可能になっている。押鍵表示部８８は、演奏データに従って発光し、演奏ガイドにおける押鍵すべき鍵を指示する。表示部配設部８５の上部には、位置決め突起８９が１つ突設される。位置決め突起８９は、本楽器の左右方向中間位置に１つだけ設けられる。位置決め突起８９は、表示部配設部８５の上にはんだ付け等で設けられる。
【００８３】
表示部配設部８５の下面には、基端部押圧部８７が垂下して固定されている。基端部押圧部８７は、表示部配設部８５の全長に亘って配設される。本実施の形態では、鍵取り付け部である積層された共通基端部１３、１４、１５を、ネジ２９（図１参照）に代えて、基端部押圧部８７で押さえるようになっている。共通基端部１３、１４、１５の抜け止めを確実にするために、共通基端部１５の後部からは係合爪９０が下方に延設され、係合爪９０が鍵フレーム１０に対して貫通して係合している。
【００８４】
組み付け時には、この係合爪９０にて、共通基端部１３、１４、１５を一体にして仮止めしつつ基端部押圧部８７で共通基端部１３、１４、１５を押さえて固定する。また、ネジ３４を締め付けることで、基端部押圧部８７は共通基端部１３、１４、１５を下方に強く押さえつけるようになる。従って、共通基端部１３、１４、１５を固定するためのネジが不要となる。
【００８５】
本実施の形態では、「機能部品」として、上ケース１４０−１、表示部配設部８５を例示する。まず、基準部材５０と鍵フレーム１０との、前後及び左右方向の位置決めについては第１の実施の形態と同様である。上ケース１４０−１、表示部配設部８５の、基準部材５０に対する前後及び左右方向の位置決めについては、板状部５０ａのみが実質的にその役割を果たし、板状部６０ａは位置決めに寄与しない。すなわち、板状部６０ａは、位置決めの支障とならないような位置に設けられる。
【００８６】
上ケース１４０−１に関して、本実施の形態では、板状部５０ａの右側面５０ａａ（特に上側延設部５２の右側面）に、上ケース１４０−１の位置決め片８２が当接することで、上ケース１４０−１と基準部材５０との左右方向における相対的な位置が規定される。その結果、基準部材５０を基準として、鍵フレーム１０と上ケース１４０−１との左右方向における相対的な位置が規定される。
【００８７】
また、前後方向については、位置決め突起７５の後端に位置決め片８２の前端が当接することで、鍵フレーム１０と上ケース１４０−１との前後方向における相対的な位置が規定される。その結果、基準部材５０を基準として、鍵フレーム１０と上ケース１４０−１との前後方向における相対的な位置が規定される。
【００８８】
表示部配設部８５に関しては、板状部５０ａの右側面５０ａａ（特に上側延設部５２の右側面）に、表示部配設部８５の位置決め突起８９が当接することで、表示部配設部８５と基準部材５０との左右方向における相対的な位置が規定される。その結果、基準部材５０を基準として、鍵フレーム１０と表示部配設部８５との左右方向における相対的な位置が規定される。
【００８９】
また、前後方向については、位置決め突起８９の後端に位置決め突起７４の前端が当接することで、表示部配設部８５と基準部材５０との前後方向における相対的な位置が規定される。基準部材５０を基準として、鍵フレーム１０と表示部配設部８５との前後方向における相対的な位置が規定される。
【００９０】
基準部材５０及び上ケース１４０−１の組み付けは、次のようになされる。まず、下ケース３０に鍵フレーム１０、鍵盤部ＫＢ及びハンマ体２０を配設する点は第１の実施の形態と同様である。さらに、底板３１に被係合部８３を立設する。
【００９１】
一方、上ケース１４０−１の位置決め片８２を、基準部材５０の板状部５０ａの右側面５０ａａと位置決め突起７５の後端とに当接させた状態で、基準部材５０の取付片５６を介して上ケース１４０−１にネジ４７を螺合する。これらにより、基準部材５０に上ケース１４０−１が前後及び左右方向において位置決めされた状態で固定される。その後、すべての板状部６０ａについても、各々の取付片６６（図２参照：図３（ａ）では図示せず）を介してネジ４７を螺合する。
【００９２】
一方、表示部配設部８５に、押鍵表示部８８を含む押鍵表示機構８６、及び基端部押圧部８７を配設固定しておく。表示部配設部８５は、上ケース１４０−１の固定の前または後に、基準部材５０に固定される。その際、基準部材５０の位置決め突起７４の前端に位置決め突起８９の後端が当接するようにしつつ、表示部配設部８５の上面を基準部材５０の上側延設部５２、６２の前部下縁に接着等によって固定する。なお、上側延設部５２、６２の前部下縁に、取付片５６と同様の取付片を設け、この取付片に表示部配設部８５をネジ止めで固定するようにしてもよい。
【００９３】
次に、基準部材５０に上ケース１４０−１と表示部配設部８５とが固定され一体となったものを、鍵フレーム１０が固定された下ケース３０に対して上方且つ後方から配設する。その際、係合部８１と被係合部８３とが嵌合されるようにする。鉤部５９、６９と上側垂直リブ２５、鉤部５７、６７と下側垂直リブ２６とを係合させる態様は、第１の実施の形態と同様である。
【００９４】
その後、下方からネジ３４で底板３１に固定用片５４、６４を固定することで、係合部８１と被係合部８３との嵌合状態が強まった状態で、基準部材５０、上ケース１４０−１及び表示部配設部８５が鍵フレーム１０及び下ケース３０に対して固定状態となる。左右の側板１９の固定については、第１の実施の形態と同様である。
【００９５】
本実施の形態によれば、上ケース１４０−１の寸法精度を過剰に高くすることなく、鍵盤部ＫＢに対する上ケース１４０−１の前後及び左右方向の相対的な位置精度を確保することに関し、第１の実施の形態と同様の効果を奏することができる。
【００９６】
さらに、機能部品である表示部配設部８５が、基準部材５０に前後及び左右方向の位置を規制されて固定されるので、表示部配設部８５に配設される基端部押圧部８７、押鍵表示部８８についても、寸法精度を過剰に高くすることなく、鍵盤部ＫＢ（特に共通基端部１３、１４、１５や各鍵１１）に対する前後及び左右方向の相対的な位置精度を確保することができる。特に、押鍵表示部８８については、対応する鍵１１の直後に配設され、左右方向の位置ずれがあると目立つため、位置決めの効果は高い。
【００９７】
また、上ケース１４０−１は、背面カバー４２（図１参照）を廃止した構成であり、あるいは鍵盤部ＫＢの後部から後方にかけての上方を覆うパネル部と背面カバーとを一体に構成したものと把握することもできる。これにより、構成が簡単で、ネジ止め数も少なくて済む。
【００９８】
ところで、本実施の形態において、上ケース１４０について、形状が異なる複数種類を用意しておき、そのうち１つを選択して実際に配設できるようにしてもよい。例えば、上ケース１４０−１に代えて上ケース１４０−２を採用した例を、図３（ｂ）に示す。
【００９９】
上ケース１４０−２は、上ケース１４０−１に比し、後部が後方に拡張された点が異なり、前半部の構成は全く同一である。後部の拡張部分の内部には、スピーカボックス７６が設けられ、スピーカボックス７６にはスピーカ８４が配設される。放音穴の図示は省略されている。
【０１００】
このように、基準部材５０に対する固定部分の構成が同じ上ケース１４０を複数種類用意しておき、選択したものを基準部材５０に固定するようにすることで、後部の筐体形状の異なる異機種間で、下ケース３０と基準部材５０とを共通化することができる。種類数は３以上でもよい。なお、他の機能部品についてもこれを応用できる。例えば、表示部配設部８５の構成を同じくして、表示部配設部８５に配設された基端部押圧部８７、押鍵表示部８８の構成を異ならせたものを複数種類設けてもよい。
【０１０１】
前述の第１の実施の形態において、図４で、パネル部等を改良した変形例を説明する。図４は、変形例の電子鍵盤楽器の後部上部の概略の縦断面図である。
【０１０２】
この例では、上ケース４０のパネル部４１には、見かけ上黒色の半透明部４１ａが設けられる。これは、特許第３８８２６０４号公報で示されるのと同様の構成である。半透明部４１ａの下方において、非接触型のタッチスイッチ部９７が配設される。タッチスイッチ部９７は、プリント基板上に非接触の静電誘導型の指検知部（タッチスイッチ）が多数配設されてなるセンサ集合体であり、特開２００６−１８９５１５号公報等で示されるような、いわゆるパネルスイッチと同様のものである。
【０１０３】
タッチスイッチ部９７は、前後の取付片５６、６６に橋渡しされる形で取り付けられる。タッチスイッチ部９７からは、被位置決片９８が垂下して設けられる。被位置決片９８は、位置決め片４８（図１参照）と同様に、下駄の歯のような左右２枚の片が対となって構成されている。被位置決片９８が基準部材５０の上側延設部５２を上方から挟持するようにタッチスイッチ部９７が配設される。被位置決片９８（の特に右側の片の左端面）が、上側延設部５２の右側面に当接することで、基準部材５０に対するタッチスイッチ部９７の左右方向における位置を規制する役割を果たす。
【０１０４】
タッチスイッチ部９７には、特定のスイッチが設けられることがあるが、上記位置規制によって、その特定のスイッチが、特定の鍵１１に対して、左右方向の位置が対応乃至一致するようになる（特開２００６−１８９５１５号公報参照）。このようなスイッチ構造にも、本発明は有効である。
【０１０５】
ところで、前述の第１の実施の形態において、基準部材５０の腕部７１、７３の使用態様を他の変形例として説明する。
【０１０６】
図５（ａ）は、基準部材５０の腕部７１、７３を後方に延ばした状態を示す斜視図である。基準部材５０が金属で構成される場合は、初期状態では左右方向に屈曲延設されている腕部７１、７３を９０°曲げて後方に延ばすことができる。さらに、腕部７１、７３の先端部を右方に屈曲させて、屈曲された先端部の後端面である取付面７１ｂ、７３ｂが左右方向に平行になるようにする。腕部７１、７３の先端部には、ネジ穴７１ａ、７３ａが設けられている。
【０１０７】
上ケースについて、形状が異なる複数種類を用意しておき、そのうち１つを選択して実際に配設できるようにする。例えば、図１に示した上ケース４０に代えて上ケース４０−２を採用した例を、図５（ｂ）に示す。上ケース４０−２は、パネル部４１−２及び背面カバー４２−２で構成される。パネル部４１−２が、鍵盤部ＫＢの後部から後方にかけて上方を覆う後方上面部となる。上ケース４０−２は、上ケース４０に対して後部が後方に拡張している。後部の拡張部分の内部にはスピーカ８４が配設される。スピーカ８４は、スピーカ保持部材９１によって基準部材５０に取り付けられている。すなわち、スピーカ８４が取り付けられたスピーカ保持部材９１の取付部９１ａ、９１ｂが、基準部材５０に係合固定されている。パネル部４１−２、上ケース４０−２には、それぞれ、放音穴９３、９２が設けられている。
【０１０８】
この例では、背面カバー４２−２の固定に取付片５５、６５を用いず、代わりに、腕部７１、７３の取付面７１ｂ、７３ｂに背面カバー４２−２の前面を当接させ、ネジ穴７１ａ、７３ａに螺着することで、上ケース４０−２が、前後方向の位置を規制されつつ基準部材５０に固定される。上ケース４０−２については、基準部材５０に対する他の固定部分の構成と前半部の構成は、図１の例と同一である。
【０１０９】
このように、上ケース４０を複数種類用意しておき、選択したものに応じて基準部材５０の腕部７１、７３の姿勢を変え、基準部材５０に固定するようにすることで、後部の筐体形状の異なる異機種間で、下ケース３０と基準部材５０とを共通化することができる。なお、他の機能部品についてもこれを応用できる。
【０１１０】
なお、第１の実施の形態において、基準部材５０を左右方向に複数配設してもよい。その場合、それらのうち１つの基準部材５０だけを前後、左右方向の位置決めに用いる。また、その場合において、基準部材５０の腕部７１、７３を、図５（ａ）に示すよりもさらに外側に９０°曲げ、隣接する基準部材５０の腕部７１、７３同士を連結してもよい。
【０１１１】
なお、「機能部品」としては、上記各実施の形態で例示したもののほか、鍵１１の後部上方に配設される鍵暴れ防止部、ＵＳＢ等の端子部、パネルスイッチ、あるいはこれらが配設される配設部等が考えられる。鍵暴れ防止部は、鍵支点が鍵の長手方向中間部にあってハンマ体を有さず、鍵が鍵スイッチを押下して鍵の下限位置が規制されるような鍵盤構成において特に有効である。
【符号の説明】
【０１１２】
１０  鍵フレーム、  １３、１４、１５  共通基端部、  ３０  下ケース（第１筐体部）、  ３１  底板（支持部材）、  ３１ａ  上面、  ４０、１４０  上ケース（機能部品、第２筐体部）、  ４１  パネル部、  ５０  基準部材、  ５０ａ  板状部、  ５０ａａ  右側面（第２左右位置決め部、平坦面）、  ５３ａ  右側面（第１左右位置決め部）、  ５５ｂ、６５ｂ  後面（第２前後位置決め部）、  ５７、６７  鉤部、  ５７ａ、６７ａ  根本部（第１前後位置決め部）、  ５８ａ  右側面（第１左右位置決め部）、  ７１ｂ、７３ｂ  取付面（第２前後位置決め部）、  ７４、７５  位置決め突起（第２前後位置決め部）、  ８５  表示部配設部（機能部品、押圧部配設部）、  ８７  基端部押圧部、  ８８  押鍵表示部、  ＫＢ  鍵盤部
【図１】
2010262018.tif 000003
【図２】
2010262018.tif 000004
【図３】
2010262018.tif 000005
【図４】
2010262018.tif 000006
【図５】
2010262018.tif 000007